(57)【要約】【課題】  根茎滓を好気性有機物による分解・腐蝕を促進せしめ、堆肥化せしめることを可能にするために、土中に埋没する根茎滓を効率よく掘り起こすことの出来る、効率的でありながら簡素な構造を有し、トラブル発生のない梳き起し装置を提供することを目的とする。【解決手段】  耕耘機に牽引され泥中を移動する所要の幅を有する平板状の牽引プレートと、該牽引プレートの幅方向に沿って根茎滓を梳き上げる後方に傾斜した複数の板状の梳きブレードを列設したことを特徴とするものである。【選択図】    図３
2005124404.tif 000002
【特許請求の範囲】
【請求項１】
耕耘機に牽引され泥中を移動する所要の幅を有する平板状の牽引プレートと、該牽引プレートの幅方向に沿って根茎滓を梳き上げる後方に傾斜した複数の板状の梳きブレードを列設したことを特徴とする梳き起し装置。
【請求項２】
前記牽引プレートに所要の間隔でガイドを固定し、前記梳きブレードをガイドに着脱可能にしたことを特徴とする請求項１記載の梳き起し装置。
【請求項３】
牽引プレートを、該牽引プレートの進行方向に対して複数列配設したことを特徴とする請求項１および２記載の梳き起し装置。
【請求項４】
牽引プレートに装着する梳きブレードを、その上半部分において平面部を形成したことを特徴とする請求項１ないし３記載の梳き起し装置。
【請求項５】
牽引プレートを進行方向の前後に複数段配設するとともに、牽引プレートに装着する梳きブレードを前後の牽引プレートにおいて位相差を付与したことを特徴とする請求項１ないし４記載の梳き起し装置。
【発明の詳細な説明】
【技術分野】
【０００１】
本発明は、田圃や畑等の耕耘によって土中に埋没した稲株、根株等を鋤き起こすための梳き起こし装置に関するものである。
【背景技術】
【０００２】
田圃や畑等において、農作物を収穫した後の作物の大きなものは圃場外に撤去されるが根株や枝葉、雑草等は耕耘機によって土中に鋤き込み、土中に埋没させて腐蝕させ、堆肥化させることが一般的に行なわれている。特に、近年の稲作においては、労働力不足を補うことからコンバインによる収穫が行なわれるようになり、籾米のみが分離され、この時、稲の残部である茎部は所要寸法に自動的に細断され、田圃の表面に撒布され、しかる後、稲の根部と前述する細断された茎部、あるいは、雑草等（以下、根茎滓と言う。）は耕耘機によって土中に鋤き込まれて堆肥化される。田植え時には、その状態のままで冠水させて苗代として代掻きを行なって田植えを行なうために、土中に埋没した根茎滓は水面下の土中で腐蝕が進行する。
【０００３】
根茎滓の腐蝕による堆肥化は、地表面あるいはその近傍において、好気性の有機微生物菌による分解に依存するが、根茎滓が土中に埋没されると上記の好気性菌による分解は期待できず、ましてや、冠水状態においては嫌気性菌による分解、腐敗が生じ、メタンガスや硫化水素ガスが発生することになる。この土中における腐蝕は気温の上昇に伴なって進行するが、この温度上昇の時期は稲の成長期とオーバーラップすることから稲の成長に悪影響を及ぼす。
【０００４】
植物、例えば、稲にとっての根部は、稲にとって自立を確保するとともに養分の吸収を図るという重要な機能を奏するものであるが、前述する冠水状態における根茎滓の分解、腐敗時において同時に稲の根部における毛根、さらには、繊毛根を腐敗させることとなり、稲の成長時期における充分な養分の吸収を妨げることから、稲の成育を阻害することとなり、加えて、分解、腐敗時に発生するメタンガスや硫化水素ガスの異臭により農作業を阻害する。
【０００５】
斯かる稲作における問題を解決するためには、水田を整えるに際して、嫌気性菌による分解・腐敗を防止し、好気性菌による分解を行ない得るように、堆肥化のために土中に埋没させた根茎滓を予め田の表層部まで梳き起こすことが好ましいが、従来、このために固有の農器具は存在せず、僅かに、ブレード状のレーキ（あるいはプラウ）により田圃をより深く深耕することによって根茎滓を掘り起こす器具が提案されている。
【０００６】
【特許文献１】特開平１１−２９９３０２号公報（図１参照）
【特許文献２】特開２００１−５７８０１号公報（図１および図２参照）
【発明の開示】
【発明が解決しようとする課題】
【０００７】
前述する農機具にあっては、レーキ（プラウ）によって田圃をより深く深耕するもので、柔軟な土壌の場合に掘り起こしが可能となるものの、乾燥して堅くなった圃場の場合には大きな掘削力を要するために大馬力の耕耘機を必要とし、時には、レーキの破損を招来することとなる。この深耕作業によって、レーキの間隔、あるいは、形状によって根茎滓がレーキに引っかかった場合には掘り起こされることになるが、土壌の掘り起こし整地が主目的であるために、根茎滓は掘り起こし作業による土壌の反転により再度、土中に埋没することとなり、根茎滓の土壌表層部への掘り起こしという本来の目的には程遠いものである。
【０００８】
本発明は、前述の諸点に鑑みなされたもので、根茎滓を好気性有機物による分解・腐蝕を促進せしめ、堆肥化せしめることを可能にするために、土中に埋没する根茎滓を効率よく掘り起こすことの出来る、効率的でありながら簡素な構造を有し、トラブル発生のない梳き起し装置を提供することを目的とする。
【課題を解決するための手段】
【０００９】
前述する課題を解決するための本発明に係る梳き起し装置の構成は、耕耘機に牽引され泥中を移動する所要の幅を有する平板状の牽引プレートと、該牽引プレートの幅方向に沿って根茎滓を梳き上げる後方に傾斜した複数の板状の梳きブレードを列設したことを特徴とするものである。
【００１０】
また、前記牽引プレート幅方向に所要の間隔でガイドを固定し、必要に応じて前記梳きブレードの間隔を調整し得るようにガイドに梳きブレードを着脱可能にしたことを特徴とするものである。
【００１１】
さらに、牽引プレートを、該牽引プレートの進行方向に対して前後に複数配設したことを特徴とするものである。
【００１２】
さらにまた、牽引プレートに装着する梳きブレードを、根茎滓の梳き上げを確実に行うために、梳きブレードの上半部分において平面部を形成したことを特徴とするものである。
【００１３】
加えて、牽引プレートを進行方向の前後に複数段配設するとともに、牽引プレートに装着する梳きブレードを前後の牽引プレートにおいて位相差を付与したことを特徴とするものである。
【発明の効果】
【００１４】
本発明に係る梳き起し装置によれば、田植えに先だって圃場を冠水し、代掻きを行なった泥田から土中に埋没する根茎滓を効率よく掘り起こすに際して、平板状の牽引プレートの幅方向に沿って根茎滓を梳き上げる後方に傾斜した複数の梳きブレードを列設した構成を採用するものであるから、泥中を牽引する時の泥の抵抗を最小にすることから、梳き起し装置を牽引するためのトラクター（耕耘機）も格別のものを必要とせず、小型のもので行ない得ることになる。
【００１５】
また、土中に埋没する根茎滓の掘り起こしにおいても、牽引プレートに列設した梳きブレードに土中に埋没する根茎滓が接すると、根茎滓が梳きブレードの傾斜縁にそって上方へ持ち上げられることとなり、根茎滓を好気性菌による分解を行ない得る表層部まで確実に梳き起しを行なうことができ、この結果、好気性菌による分解による堆肥化を行ない得るのみならず、従来のように分解、腐敗時に発生するメタンガスや硫化水素ガスの異臭により農作業を阻害することを防止し得る当の効果を奏するものである。
【発明を実施するための最良の形態】
【００１６】
以下図面の実施例に基づいて本発明にかかる梳き起し装置について説明するに、１は所要の幅寸法を有する平板状の牽引プレートであって、図示の実施例においては、その進行方向の前後において複数列（２段）に配置され、かつ、その両側を連結部２で結合された構成を有し、それぞれの牽引プレート１ａ、１ｂにおける前端縁は土中を牽引される場合に泥の抵抗を最小とするために尖状部３が成形されている。
【００１７】
前側の牽引プレート１ａの側面には取付け軸４が突設され、該取付け軸４に連結杆５が回動可能に軸着され、この連結杆５の上部にトラクターに固定された連結フレーム８の連結金具９に嵌合する連結パイプ６が一体的に固定されてなり、また、連結パイプ６には、その縦方向に複数のピン孔７が穿設されてなり、その図示を省略したが前記連結金具９とピンにより連結される如くなし、連結金具９と連結パイプ６との連結に際して、前記ピン孔７の位置を適宜選択することによって、牽引プレート１の連結フレーム８唐の距離、換言すれば、牽引プレート１の泥中への埋没深さを調整可能としている。
【００１８】
前記牽引プレート１ａ、１ｂのそれぞれには、その幅方向に沿って所定の間隔で後述する板状の梳きブレード１０が取付けられている。この梳きブレード１０は泥中における抵抗を受け難くすることから板状のブレードとして構成され、根茎滓を泥中から水面上に移行させるためにその上部が水面から上方に位置するに充分な長さ（高さ）を具備するものとし、また、梳きブレード１０は根茎滓を円滑に泥中から梳き上げるために後方に傾斜した形状を採用することが推奨される。
【００１９】
さらに、梳きブレード１０は梳き上げた根茎滓をスムースに排出せしめるように、その上半部に平面部１１を構成するのが望ましいものであって、前述の実施例においては、梳きブレード１０の上半部に平面部１１を構成するために上半部分を９０°捻転させて構成したが、これに限らず、例えば、梳きブレード１０の上半部にプレートを固定することによって平面部１１を形成することも可能である。この平面部１１の開始位置は、言い換えれば、平面部１１の範囲（長さ）は梳きブレード１０が泥中にある時、泥の上部にある水中の部分に相当する範囲に形成するのが望ましい。
【００２０】
梳きブレード１０は牽引プレート１ａ、１ｂに直接固着してもよいが、梳きブレード１０の間隔を調整し得るように牽引プレート１ａ、１ｂに対して着脱自在の構成とするのが望ましい。即ち、牽引プレート１ａ、１ｂの前縁に近接して、梳きブレード１０の進入を許容する梳きブレード１０の厚みに相当する間隔で形成されたガイド１２を適宜の間隔で固設し、他方、梳きブレード１０の下端部に牽引プレート１ａ、１ｂの貫入するスリット溝１３を削設することにより、このスリット溝１３を利用して前記ガイド１２に嵌着することにより取付ける。このようにすることで、牽引プレート１を単一とする場合、あるいは、前後に複数列設ける場合の何れにおいても梳きブレード１０の間隔を任意に設定することが可能となり、特に、複数列に牽引プレート１を設ける場合において、前後における梳きブレード１０の間隔を相互に補完するように千鳥上に配置することによって根茎滓の梳き上げを更に効率的に行なうことが可能となる。
【００２１】
前述の構成を有する本発明に係る梳き起し装置による根茎滓の梳き上げ作業について説明するに、牽引プレート１ａに対して梳きブレード１０を、前述するようにそのスリット溝１３を利用してガイド１２に嵌装し、さらに、牽引プレート１ｂに前後の牽引プレート１として梳き上げ領域の全域をカバー出来るように梳きブレード１０の間隔を調整して取付ける。
【００２２】
次いで、トラクターに固定された連結フレーム８の連結金具９に梳き起し装置の連結パイプ６嵌合し、トラクターのロータリー１４との関係において牽引プレート１ａ、１ｂが所定の泥中深さとなるように調整し、ピン孔７にピンを貫入することにより両者を一体的に連結する。
【００２３】
この状態において梳き上げ作業を行なうものであるが、冠水状態にある圃場を苗代とするためにトラクターにより代掻きを行なわれる。トラクターの進行に伴ってトラクターの後部に連設されたロータリー１４の回転によって、土は鋤き起され、更なるロータリー１４の回転により水と撹拌されて泥濘とされ、この代掻き時において、田に残されていた根茎滓は、ロータリー１４によって土から分離されてロータリー１４に連れまわりつつその一部は水上に放出されるものの、更なるロータリー１４の回転によって再び泥中に巻き込まれることになる。
【００２４】
トラクターの進行に伴って、その後方に連結された梳き起し装置は、泥中に沈潜し、泥中を牽引されることになるが、進行過程において、トラクターに牽引される牽引プレート１が根茎滓、挟雑物、土の塊等により泥中において上下動するが、連結フレーム８に固定された連結パイプ６に対して取付け軸４を介して回動可能に軸着されていることから、牽引プレート１に無理な力が作用することがなく、損傷が回避される。
【００２５】
トラクターに牽引された牽引プレート１ａ、１ｂは泥中を進行するが、前述するようにロータリー１４の回転によって泥中に巻き込まれた根茎滓は、牽引プレート１ａに取付けられた梳きブレード１０に接触すると、梳きブレード１０が後方に傾斜した構成を採用する所から、牽引プレート１の進行運動と相俟って根茎滓は梳きブレード１０の上縁に沿って上方に移行し、梳きブレード１０の上半部に達すると、その上方に形成された平面部１１によって水中を滑動して水面より上方に移行しつつ、水中に放出されるか、最終的に平面部１１の後端から水面上に落下することとなって梳き上げられる。
【００２６】
先頭の牽引プレート１ａによる梳き残された根茎滓、言い換えれば、牽引プレート１ａの梳きブレード１０の間隔を通過した根茎滓については、前後における梳きブレード１０の間隔を相互に補完するように千鳥上に配置された後続する牽引プレート１ｂに設けられた梳きブレード１０によって、前述すると同様に根茎滓が梳き上げられることになり、牽引プレート１の全域にある根茎滓が水面上に放出されることとなる。
【００２７】
前述の実施例においては、牽引プレート１を前後に複数列を配置した例を示すものであるが、単一の牽引プレート１を採用することも可能なものであって、かかる場合に、スタビライザー（安定板）を設置することが望ましく、例えば、図７に示すように、牽引プレート１の適宜の位置に帯板状のスタビライザー１５を固着したもので（図示の実施例にあっては、牽引プレート１の両側）、これによって、牽引プレート１が泥中に沈潜し、牽引される場合に、泥中で過剰な動き、言いかえれば、過度な潜り込み、あるいは、浮き上りを防止し、安定した水平移動、即ち、梳き起こしを確保することが可能となる。
【図面の簡単な説明】
【００２８】
【図１】本発明にかかる梳き起し装置に関する正面図
【図２】本発明にかかる梳き起し装置に関する平面図
【図３】本発明にかかる梳き起し装置に関する側面図
【図４】本発明にかかる梳き起し装置における牽引プレートの部分斜視図
【図５】本発明にかかる梳き起し装置における牽引プレートの取付け関係を示す部分斜視図
【図６】本発明にかかる梳き起し装置における梳きブレードの斜視図
【図７】本発明にかかる梳き起し装置の他の実施例を示す斜視図
【図８】本発明にかかる梳き起し装置の使用状態を示す説明図
【符号の説明】
【００２９】
１  牽引プレート
２  連結部
３  尖状部
４  取付け軸
５  連結杆
６  連結パイプ
７  ピン孔
８  連結フレーム
９  連結金具
１０  梳きブレード
１１  平面部
１２  ガイド
１３  スリット溝
【図１】
2005124404.tif 000003
【図２】
2005124404.tif 000004
【図３】
2005124404.tif 000005
【図４】
2005124404.tif 000006
【図５】
2005124404.tif 000007
【図６】
2005124404.tif 000008
【図７】
2005124404.tif 000009
【図８】
2005124404.tif 000010